(57)【要約】【課題】清掃性、デザイン性に優れると共に簡単な構成で蓋体を閉塞可能とすることができる洗濯機を提供する。【解決手段】蓋体３を開放側に付勢する蓋バネ１６と、蓋体３の閉閉動作時の回動を減衰するダンパー２２とを備え、蓋体３は、蓋上板７と蓋枠体８と蓋下カバー９で構成し、蓋枠体８には、蓋枠体開口部１１を設ける。蓋枠体開口部１１は、蓋枠体８の前後方向の中心より回動軸側の開口面積を、蓋枠体８の前後方向の中心より前方側の開口面積より大きく形成する。蓋体３の部品重量を軽くするとともに、蓋体３の重心を回動軸から離れた位置にすることで蓋体３を閉成するために必要なトルクを得る。【選択図】図３
2020171454.tif 000002
【特許請求の範囲】
【請求項１】
洗濯機本体と、前記洗濯機本体の上部を構成する上部枠体に形成される洗濯物出入用の開口部と、前記開口部を開閉自在に閉塞する蓋体と、前記蓋体を開放方向に付勢する蓋バネと、前記蓋体の閉閉動作方向の回動を減衰するダンパーとを備え、
前記蓋体は、上面を構成する蓋上板と、前記蓋上板の裏面に装着される蓋枠体と、前記蓋枠体の裏面に装着されて裏面を構成する蓋下カバーとを有し、前記蓋枠体には、蓋枠体開口部を形成する洗濯機。
【請求項２】
前記蓋枠体開口部は、前記蓋枠体の前後方向の中心位置より回動中心側の開口面積を、前記蓋枠体の前後方向の中心位置より前方側の開口面積より大きく形成した請求項１に記載の洗濯機。
【発明の詳細な説明】
【技術分野】
【０００１】
本開示は、洗濯物を洗濯する洗濯機に関するものである。
【背景技術】
【０００２】
縦型の洗濯機は、筐体の上面に開口部を形成し、蓋体を開放することにより開口部に洗濯物を出入する構成としている。
【０００３】
近年は、蓋体の表面を構成する部材としてガラス材を採用したフラットなデザインの洗濯機が好まれる傾向にある。ガラス材を採用することで、蓋体の重量が従来の樹脂部品で構成された蓋体よりも重くなる。
【０００４】
そのため、蓋体を開閉操作する際の操作性への配慮が必要となり、蓋体が衝撃的に閉まることを防止するために，回動部にバネとダンパーを設けている（例えば、特許文献１参照）。
【先行技術文献】
【特許文献】
【０００５】
【特許文献１】特開２００９−２０７６５１号公報
【発明の概要】
【発明が解決しようとする課題】
【０００６】
しかしながら、洗濯機に備えられるバネやダンパーの力には部品ごとにバラツキが生じることが想定される。また、温度など周囲環境によりダンパーの性能が変化することも想定される。バネやダンパーの力のばらつきや性能変化により、蓋体が完全に閉じない状態で蓋体の回動が停止する虞がある。
【０００７】
本開示は、前記従来の課題を解決するもので、清掃性、デザイン性に優れると共に簡単な構成で蓋体を閉塞可能とすることができる洗濯機を提供する。
【課題を解決するための手段】
【０００８】
本開示における洗濯機は、洗濯機本体と、前記洗濯機本体の上部を構成する上部枠体に形成される洗濯物出入用の開口部と、前記開口部を開閉自在に閉塞する蓋体と、前記蓋体を開放方向に付勢する蓋バネと、前記蓋体の閉閉動作方向の回動を減衰するダンパーとを備え、前記蓋体は、上面を構成する蓋上板と、前記蓋上板の裏面に装着される蓋枠体と、前記蓋枠体の裏面に装着されて裏面を構成する蓋下カバーとを有し、前記蓋枠体には、蓋枠体開口部を形成する。
【０００９】
また、前記蓋枠体開口部は、前記蓋枠体の前後方向の中心位置より回動中心側の開口面積を、前記蓋枠体の前後方向の中心位置より前方側の開口面積より大きく形成する。
【発明の効果】
【００１０】
これによって、清掃性とデザイン性に優れるとともに、蓋体の閉成方向のトルクを大きくでき、蓋体閉成時における動作不良を抑制できる。
【図面の簡単な説明】
【００１１】
【図１】本発明の実施の形態の洗濯機の蓋体の閉塞状態の外観斜視図
【図２】同洗濯機の蓋体の開放状態の外観斜視図
【図３】同洗濯機の蓋体の分解斜視図
【図４】同洗濯機の蓋体の軸部構造を示す分解斜視図
【図５】同洗濯機の要部分解斜視図
【発明を実施するための形態】
【００１２】
本開示は、洗濯機本体と、前記洗濯機本体の上部を構成する上部枠体に形成される洗濯物出入用の開口部と、前記開口部を開閉自在に閉塞する蓋体と、前記蓋体を開放方向に付勢する蓋バネと、前記蓋体の閉閉動作方向の回動を減衰するダンパーとを備え、前記蓋体は、上面を構成する蓋上板と、前記蓋上板の裏面に装着される蓋枠体と、前記蓋枠体の裏面に装着されて裏面を構成する蓋下カバーとを有し、前記蓋枠体には、蓋枠体開口部を形成する洗濯機を提供する。
【００１３】
また、前記蓋枠体開口部は、前記蓋枠体の前後方向の中心位置より回動中心側の開口面積を、前記蓋枠体の前後方向の中心位置より前方側の開口面積より大きく形成した洗濯機を提供する。
【００１４】
これによって、部品重量を軽くするとともに、回動中心から離れた位置に位置することができるので、蓋体の閉成方向のトルクを大きくでき、蓋体閉成時における動作不良を抑制できる。
【００１５】
以下、本発明の実施の形態について、図面を参照しながら説明する。なお、この実施の形態によって本発明が限定されるものではない。
【００１６】
（実施の形態）
図１は、本発明の実施の形態における洗濯機の蓋体の閉塞状態の外観斜視図、図２は、同洗濯機の蓋体の開放状態の外観斜視図である。
【００１７】
図１及び図２に示すように、洗濯機本体１の上部を構成する上部枠体２には、洗濯物出し入れ用の開口部５が設けられ、開口部を開閉自在に閉塞する蓋体３が設けられる。蓋体３の開閉状態を検出するセンサ（図示せず）を設け、蓋体３の開放状態では、洗濯運転を行わないように構成している。
【００１８】
上部枠体２の後方には、洗濯機の運転操作を行う操作板４が配置される。洗濯機本体１の内部には、水槽６が揺動自在に支持される。
【００１９】
図３は、蓋体の分解斜視図、図４は、蓋体の軸部構造を示す分解斜視図である。
【００２０】
蓋体３の構造を図３及び図４に基づいて説明する。
【００２１】
蓋体３は、上面を構成する蓋上板７をガラス材により構成している。蓋上板７は、着色され、不透明な意匠面を構成している。蓋上板７は、両面テープからなる接着部材１０により合成樹脂製の蓋枠体８に装着される。蓋枠体８の外周には、上側に向けて蓋上板７の板厚とほぼ同じ高さの立上り壁を設けており、蓋上板７を蓋枠体８に取り付けた状態で蓋上板７の外周端面と立上り壁が隙間なく組み立てられる。蓋上板７と蓋枠体８の立上り壁との段差も小さいので、ごみがたまる部分が少なくなると共に、ガラスの蓋上板７は、汚れが付着しにくく凹凸もないため清掃を容易に行うことができる。
【００２２】
蓋枠体８には、中央部に蓋枠体開口部１１を形成している。蓋枠体開口部１１は、蓋枠体８の前後方向の中心線をＣとし、Ｃより後方の開口面積をＳ１、Ｃより前方の開口面積をＳ２として、Ｓ１＞Ｓ２に設定している。
【００２３】
蓋枠体８の後端には、回動軸側として金属鋼板製の軸取付板１２を複数のタッピングネジ１３により取付けている。軸取付板１２の左右には、蓋軸１４を支持するために軸取付板１２に形成した軸孔１５を設けている。蓋軸１４には、蓋バネ１６を蓋バネ１６のコイル中心に貫通させて保持し、蓋バネ１６の付勢力により蓋体３を開き方向に付勢し、蓋体３の開き力を低減させて操作性を向上させている。
【００２４】
蓋枠体８の上側には、複数の蓋枠体爪孔１７を設け、蓋下カバー９に設けた複数の蓋下カバー爪１８を蓋枠体爪孔１７に係止して、蓋下カバー９を蓋枠体８に取付けている。
【００２５】
蓋下カバー９には、強度を向上するために、中央部に凹部を設けており、凹部は、角部を大きめの円弧に形成し、清掃しやすく構成している。また、蓋下カバー９は、上面に設けた蓋下カバー爪１８により蓋枠体８に取り付けており、蓋下カバー９の下面には、清掃しにくい孔、溝、窪みが形成されないので、容易に清掃することができる。
【００２６】
蓋体３は、主に蓋上板７、蓋枠体８、蓋下カバー９の３部品で構成されている。蓋体３は、蓋下カバー９を設けないで構成することも可能であるが、その場合には、蓋体３の外周が蓋上板７と蓋枠体８を重ね合わせた厚みとなり、デザインが拘束されるのに対し、３部品で構成することで蓋体３の厚みを変えることができ、デザインの自由度が増すことができる。
【００２７】
ユニット化された蓋体３を上部枠体２に装着する際には、蓋体３を略垂直に近い角度で下方向に下して蓋バネ１６の端部を上部枠体２のバネ挿入孔１９に挿入し、上部枠体２に載せて設置する。また、蓋軸１４を外側にスライドさせて、上部枠体２の左右に設けた軸受部２０の軸受孔２１に挿入する。
【００２８】
さらに、蓋体３の閉成方向の減衰作用を付与するダンパー２２を装着したダンパー保持器２３を軸取付板１２中央にセットした後、上部枠体２に設けたダンパー受け部２４に設けたダンパー受け孔（図示せず）にダンパー保持器２３をスライドさせて、ダンパー軸２５を挿入し、ダンパー保持器２３を軸取付板１２にねじ固定する。最後に、蓋体３の軸側に軸カバー２６を取り付け、蓋体３の回動軸部を覆うことで組み立てを完了する。
【００２９】
上記のように組み立てたられた洗濯機の蓋体開閉動作について説明する。
【００３０】
蓋体３の開放動作時には、ダンパー２２には、抵抗力は働かず、蓋バネ１６の付勢力の付勢力を受けて、軽い操作力で蓋体３を開放することができる。蓋体３は、完全に開放した状態で蓋体３が垂直より後方に倒れるようにした状態で、蓋体３が開放した状態で保持されるように蓋バネ１６の形状を設定している。
【００３１】
蓋体３の閉成動作時には、蓋体３を前側に倒していくと、蓋体３の自重による閉成方向のトルクが、蓋バネ１６の付勢トルクとダンパー２２の抵抗トルクを合わせた蓋体３に対する反閉成方向のトルクより大きくなる。蓋体３から手を離すと、蓋体３は、ゆっくりと閉じる。
【００３２】
蓋バネ１６やダンパー２２の性能ばらつき、温度によるダンパー２２の性能変動が生じる虞がある。このような場合には、蓋体３の閉成動作が不確実になる可能性がある。従って、部品の性能ばらつきを含めて常に、蓋体３の自重による閉成方向のトルクが、蓋バネ１６とダンパー２２による反閉成方向のトルクより大きくなるように蓋体３の重量、重心位置を調整する必要がある。
【００３３】
本実施の形態においては、蓋枠体８に蓋枠体開口部１１を設け、蓋枠体開口部１１は、蓋枠体８の前後方向の中心線をＣとし、Ｃより後方の開口面積をＳ１、Ｃより前方の開口面積をＳ２として、Ｓ１＞Ｓ２に設定している。
【００３４】
蓋枠体開口部１１を設けることにより、蓋体３の重心を蓋軸１４から離間した位置に位置させることができ、蓋体３の重量を軽くしつつ、蓋体３の必要な自重による閉成方向のトルクを確保することができる。蓋枠体開口部１１は、蓋体３の重心を蓋軸１４から離れた位置にするためのものであるので、Ｓ２＝０としてもよく、蓋枠体開口部１１を複数形成してもよい。本実施の形態では、蓋枠体開口部１１は、矩形状に形成したが、台形状に形成してもよく、凸形状に形成してもよい。
【産業上の利用可能性】
【００３５】
以上のように、本発明にかかる洗濯機は、清掃性とデザイン性に優れるとともに、安価な部品構成で蓋の重心を回動軸から離れた位置にすることで、蓋体が完全に形成するために必要なトルクを得ることができ、閉成時の蓋体の閉成動作の不具合を抑制することができるので、乾燥機能付の洗濯乾燥機や脱水機等の用途にも適用できる。
【符号の説明】
【００３６】
１  洗濯機本体
２  上部枠体
３  蓋体
４  操作板
５  開口部
６  水槽
７  蓋上板
８  蓋枠体
９  蓋下カバー
１０  接着部材
１１  蓋枠体開口部
１２  軸取付板
１３  タッピングネジ
１４  蓋軸
１５  軸孔
１６  蓋バネ
１７  蓋枠体爪孔
１８  蓋下カバー爪
１９  バネ挿入孔
２０  軸受部
２１  軸受孔
２２  ダンパー
２３  ダンパー保持器
２４  ダンパー受け部
２５  ダンパー軸
２６  軸カバー
【図１】
2020171454.tif 000003
【図２】
2020171454.tif 000004
【図３】
2020171454.tif 000005
【図４】
2020171454.tif 000006
【図５】
2020171454.tif 000007